(57)【要約】【課題】膝関節の固定感に優れると共に膝関節の曲げ伸ばし動作容易性に優れる。【解決手段】膝用サポーター１０は、筒状のサポーターサポータ本体２０が膝前面部２２、第１膝後面部３４、第２膝後面部３６、太腿側前面部２６、太腿側後面部２８、脛側前面部３０、及び脛側後面部３２を含み、軸方向への８０％伸長時弾性率について、第１膝後面部３４より第２膝後面部３６が低くされている。これにより、膝用サポーター１０は、膝関節の固定感に優れているにもかかわらず、膝関節の曲げ伸ばし動作容易性にも優れる。【選択図】図１
2018150654.tif 000002
【特許請求の範囲】
【請求項１】
脚の膝を含む部分に装着され、前記膝の前面をサポートする膝前面部、前記膝の後面をサポートする第１膝後面部、前記脚の前記膝に対して太腿側の前面をサポートする太腿側前面部、前記太腿側の後面部をサポートする太腿側後面部、前記脚の前記膝に対して脛側の前面をサポートする脛側前面部、前記脛側の後面をサポートする脛側後面部、及び前記膝の後面に配置されて前記第１膝後面部と共に前記膝の後面をサポートする第２膝後面部を含む筒状のサポーター本体を備え、
前記サポーター本体の軸方向への８０％伸長時弾性率が、前記膝前面部をＡ、前記第１膝後面部をＢ、前記太腿側前面部をＣ、前記太腿側後面部をＤ、前記脛側前面部をＥ、前記脛側後面部をＦ、及び前記第２膝後面部をＧとしたときに、下記式（１）から式（３）を満たし、
前記サポーター本体の周方向への８０％伸長時弾性率が、前記第１膝後面部をＢＬ、及び前記第２膝後面部をＧＬとしたときに、下記式（４）を満たす膝用サポーター。
０．７≦（Ｂ／Ａ）              ・・・（１）
１＜（Ｃ／Ｄ）                  ・・・（２）
１＜（Ｅ／Ｆ）                  ・・・（３）
１＜（ＢＬ／ＧＬ）              ・・・（４）
【請求項２】
前記サポーター本体の周方向への８０％伸長時弾性率が、前記膝前面部をＡＬ、及び前記第２膝後面部をＧＬとしたときに、下記式（５）を満たす請求項１記載の膝用サポーター。
１＜（ＡＬ／ＧＬ）              ・・・（５）
【請求項３】
前記第１膝後面部、及び前記第２膝後面部は、前記サポーター本体の軸方向において、前記第１膝後面部、前記第２膝後面部、及び前記第１膝後面部の順に配列されている請求項１又は請求項２記載の膝用サポーター。
【請求項４】
前記第２膝後面部の面積ＧＳは、前記第１膝後面部と前記第２膝後面部との総面積Ｓの３０％以上、６０％以下にされている請求項１から請求項３の何れか１項記載の膝用サポーター。
【請求項５】
前記膝前面部、前記太腿側前面部、及び前記脛側前面部が、下記式（６）及び式（７）の少なくとも一方を満たす請求項１から請求項４の何れか１項記載の膝用サポーター。
０．２≦（Ａ／Ｃ）≦５          ・・・（６）
０．２≦（Ａ／Ｅ）≦５          ・・・（７）
【請求項６】
前記太腿側前面部、前記太腿側後面部、前記脛側前面部、及び前記脛側後面部が、下記式（８）及び式（９）の少なくとも一方を満たす請求項１から請求項５の何れか１項記載の膝用サポーター。
１＜（Ｅ／Ｄ）                  ・・・（８）
１＜（Ｃ／Ｆ）                  ・・・（９）
【請求項７】
更に、前記第１膝後面部、前記太腿側後面部がＤ、及び前記脛側後面部が、下記式（１０）及び（１１）の一方を満たす請求項１から請求項６の何れか１項記載の膝用サポーター。
６≦（Ｂ／Ｄ）≦５０            ・・・（１０）
６≦（Ｂ／Ｆ）≦５０            ・・・（１１）
【請求項８】
前記太腿側後面部、前記脛側後面部、及び前記第２膝後面部が、下記式（１２）及び（１３）の少なくとも一方を満たす請求項１から請求項７の何れか１項記載の膝用サポーター。
１≦（Ｇ／Ｄ）≦１０            ・・・（１２）
１≦（Ｇ／Ｆ）≦１０            ・・・（１３）
【請求項９】
前記太腿側前面部、前記太腿側後面部、前記脛側前面部、及び前記脛側後面部が、下記式（１４）及び（１５）の少なくとも一方を満たす請求項１から請求項７の何れか１項記載の膝用サポーター。
２≦（Ｃ／Ｄ）≦４０            ・・・（１４）
２≦（Ｅ／Ｆ）≦４０            ・・・（１５）
【請求項１０】
前記膝前面部及び前記第１膝後面部が、下記式（１６）を満たす請求項１から請求項７の何れか１項記載の膝用サポーター。
０．７≦（Ｂ／Ａ）≦３          ・・・（１６）
【請求項１１】
前記太腿側後面部及び前記脛側後面部の前記サポーター本体の軸方向への８０％伸長時弾性率が、０．００１ＭＰａ以上であり、
前記第１膝後面部の前記サポーター本体の軸方向への８０％伸長時弾性率が１．０ＭＰａ以下である請求項１から請求項１０の何れか１項記載の膝用サポーター。
【請求項１２】
前記膝前面部、前記第１膝後面部、前記太腿側前面部、前記太腿側後面部、前記脛側前面部、前記脛側後面部、及び前記第２膝後面部の各々の編成組織が、浮き編み組織を含む編成組織である請求項１から請求項１１の何れか１項に記載の膝用サポーター。
【請求項１３】
前記膝前面部は、２０Ｎの荷重でサポーター本体の軸方向に伸長させたときの伸長率が５０％以上、５００％以下である請求項１から請求項１２の何れか１項に記載の膝用サポーター。
【請求項１４】
前記サポーター本体が丸編みによって軸方向に連続されている請求項１から請求項１２の何れか１項に記載の膝用サポーター。
【請求項１５】
前記サポーター本体が、シームレス構造を有する請求項１から請求項１３の何れか１項に記載の膝用サポーター。
【請求項１６】
前記サポーター本体に対して太腿側に配置された太腿側口ゴム部と、
前記サポーター本体に対して脛側に配置された脛側口ゴム部と、
を備える請求項１から請求項１５の何れか１項に記載の膝用サポーター。
【発明の詳細な説明】
【技術分野】
【０００１】
本発明は、膝用サポーターに関する。
【背景技術】
【０００２】
現在、様々な膝用サポーターが知られている。
例えば、装着操作が容易で、痛みに応じて適切な箇所を重点的に圧迫、固定、保温等をすることができ、簡単な製造工程で製作可能な膝サポーターとして、膝蓋骨周囲を被覆する部位に、異なる伸長性を有する複数の領域が編み分け編成されて設けられ、前記部位の少なくとも一部が、該部位以外の領域に比べて低い伸長性を有する低伸長性領域とされた膝サポーターが知られている（例えば、特許文献１参照。）。
また、膝の伸展と屈曲とを繰り返した場合でも、ずれることなくフィットした状態を保持することができるサポーターとして、主構成部分がストレッチ素材で形成される膝用サポーターであって、サポーター前面上部部材、サポーター前面下部部材及びサポーター後面部部材を含む部材でサポーター本体が構成され、前記サポーター前面上部部材は、膝蓋骨領域を含み、前記サポーター前面上部部材の縦方向の伸長率をＡ１、横方向の伸長率をＢ１とし、サポーター後面部部材の縦方向の伸長率をＡ２、横方向の伸長率をＢ２とした場合、Ａ１＞Ｂ１であり、かつＡ２＜Ｂ２である膝用サポーターが知られている（たとえば、特許文献２参照。）。
また、膝蓋靭帯を圧迫し、かつ、膝蓋骨を保持して、膝関節を良好に固定するコンプレッションサポーターとして、伸縮性素材より成り膝部に着用し得る形態の本体を具備し、上記本体よりも伸縮性の低い低伸縮領域を本体に設け、上記低伸縮領域と本体との伸縮性の相違により膝関節部及び周囲筋腱をサポートするサポーターであって、低伸縮領域として、膝蓋靭帯を圧迫するために、膝蓋骨の下部を取り囲むほぼＵ字型に、本体正面に設けた正面吊り領域を具備し、上記低伸縮領域は、樹脂よりなる低伸縮性材料を本体に固着した構成を有しているコンプレッションサポーターが知られている（例えば、特許文献３参照。）。
また、膝関節部周辺の皮膚の動きに追従し、ずれにくく、かつ装着性を良好にする膝関節用サポーターとして、本体の膝関節中心から上下１０ｃｍ以内をスリーブ状に形成し、本体の前面部は縦方向に低モジュラスで伸縮性の高い素材で構成し、本体の膝関節中心から１０ｃｍ以上の箇所の少なくとも前面上部に切欠きを設け、この切欠きに跨って本体の周方向の圧迫力を調整可能な部材を設けた膝関節用サポーターが知られている（例えば、特許文献４参照。）。
また、適度の着圧性を有し、しかも絞めすぎて痛くはなく、また、膝の屈伸運動性の良い膝サポーターとして、上下にずり落ち防止用の締め付け部と膝関節血部と襷状に囲むＸ字型部とその他の部分の編地部を有する膝関節用サポーターであって、膝関節血部は着圧がもっとも弱い編地であり、襷状に囲むＸ字型部は圧迫性編地であり、その他の部分の編地部は、膝関節の曲げ伸ばしを容易に行える緩衝編地からなる膝関節用サポーターが知られている（例えば、特許文献５参照。）。
【先行技術文献】
【特許文献】
【０００３】
【特許文献１】特開２０１１−１３０７８４号公報
【特許文献２】特開２００７−００９３６２号公報
【特許文献３】特開２０１０−０１３７６５号公報
【特許文献４】特開２０００−１１６６９７号公報
【特許文献５】特開２００７−０５４１２６号公報
【発明の概要】
【発明が解決しようとする課題】
【０００４】
ところで、膝用サポーターに関しては、膝関節に対する固定感を向上させることが望まれている。
しかし、本発明者等の検討により、筒状のサポーター本体を備える膝用サポーターにおいて、膝関節の固定感を向上させた場合、膝裏に対する過度な締め付けを感じ、膝の曲げ伸ばし時に違和感を覚える場合があることが判明した。
【０００５】
本発明は上記事実に鑑みてなされたものであり、膝関節の固定感に優れると共に、膝関節の曲げ伸ばし容易性に優れる膝用サポーターを提供することを目的とする。
【課題を解決するための手段】
【０００６】
上記目的を達成するための具体的手段は、以下のとおりである。
＜１＞  脚の膝を含む部分に装着され、前記膝の前面をサポートする膝前面部、前記膝の後面をサポートする第１膝後面部、前記脚の前記膝に対して太腿側の前面をサポートする太腿側前面部、前記太腿側の後面部をサポートする太腿側後面部、前記脚の前記膝に対して脛側の前面をサポートする脛側前面部、前記脛側の後面をサポートする脛側後面部、及び前記膝の後面に配置されて前記第１膝後面部と共に前記膝の後面をサポートする第２膝後面部を含む筒状のサポーター本体を備え、前記サポーター本体の軸方向への８０％伸長時弾性率が、前記膝前面部をＡ、前記第１膝後面部をＢ、前記太腿側前面部をＣ、前記太腿側後面部をＤ、前記脛側前面部をＥ、前記脛側後面部をＦ、及び前記第２膝後面部をＧとしたときに、下記式（１）から式（３）を満たし、前記サポーター本体の周方向への８０％伸長時弾性率が、前記第１膝後面部をＢＬ、及び前記第２膝後面部をＧＬとしたときに、下記式（４）を満たす膝用サポーター。
０．７≦（Ｂ／Ａ）                                    ・・・（１）
１＜（Ｃ／Ｄ）                                        ・・・（２）
１＜（Ｅ／Ｆ）                                        ・・・（３）
１＜（ＢＬ／ＧＬ）                                    ・・・（４）
【０００７】
＜２＞  前記サポーター本体の周方向への８０％伸長時弾性率が、前記膝前面部をＡＬ、及び前記第２膝後面部をＧＬとしたときに、下記式（５）を満たす＜１＞に記載の膝用サポーター。
１＜（ＡＬ／ＧＬ）                                    ・・・（５）
【０００８】
＜３＞  前記第１膝後面部、及び前記第２膝後面部は、前記サポーター本体の軸方向において、前記第１膝後面部、前記第２膝後面部、及び前記第１膝後面部の順に配列されている＜１＞又は＜２＞に記載の膝用サポーター。
【０００９】
＜４＞  前記第２膝後面部の面積は、前記第１膝後面部と前記第２膝後面部との総面積の３０％以上、６０％以下にされている＜１＞から＜３＞の何れかに記載の膝用サポーター。
【００１０】
＜５＞  前記膝前面部、前記太腿側前面部、及び前記脛側前面部が、下記式（６）及び式（７）の少なくとも一方を満たす＜１＞から＜４＞の何れかに記載の膝用サポーター。
０．２≦（Ａ／Ｃ）≦５                                ・・・（６）
０．２≦（Ａ／Ｅ）≦５                                ・・・（７）
【００１１】
＜６＞  前記太腿側前面部、前記太腿側後面部、前記脛側前面部、及び前記脛側後面部が、下記式（８）及び式（９）の少なくとも一方を満たす＜１＞から＜５＞の何れかに記載の膝用サポーター。
１＜（Ｅ／Ｄ）                                        ・・・（８）
１＜（Ｃ／Ｆ）                                        ・・・（９）
【００１２】
＜７＞  更に、前記第１膝後面部、前記太腿側後面部がＤ、及び前記脛側後面部が、下記式（１０）及び（１１）の一方を満たす＜１＞から＜６＞の何れかに記載の膝用サポーター。
６≦（Ｂ／Ｄ）≦５０                                  ・・・（１０）
６≦（Ｂ／Ｆ）≦５０                                  ・・・（１１）
【００１３】
＜８＞  前記太腿側後面部、前記脛側後面部、及び前記第２膝後面部が、下記式（１２）及び（１３）の少なくとも一方を満たす＜１＞から＜７＞の何れかに記載の膝用サポーター。
１≦（Ｇ／Ｄ）≦１０                                  ・・・（１２）
１≦（Ｇ／Ｆ）≦１０                                  ・・・（１３）
【００１４】
＜９＞  前記太腿側前面部、前記太腿側後面部、前記脛側前面部、及び前記脛側後面部が、下記式（１４）及び（１５）の少なくとも一方を満たす＜１＞から＜８＞の何れかに記載の膝用サポーター。
２≦（Ｃ／Ｄ）≦４０                                  ・・・（１４）
２≦（Ｅ／Ｆ）≦４０                                  ・・・（１５）
【００１５】
＜１０＞  前記膝前面部及び前記第１膝後面部が、下記式（１６）を満たす＜１＞から＜９＞の何れかに記載の膝用サポーター。
０．７≦（Ｂ／Ａ）≦３                                ・・・（１６）
【００１６】
＜１１＞  前記太腿側後面部及び前記脛側後面部の前記サポーター本体の軸方向への８０％伸長時弾性率が、０．００１ＭＰａ以上であり、前記第１膝後面部の前記サポーター本体の軸方向への８０％伸長時弾性率が１．０ＭＰａ以下である＜１＞から＜１０＞の何れかに記載の膝用サポーター。
＜１２＞  前記膝前面部、前記第１膝後面部、前記太腿側前面部、前記太腿側後面部、前記脛側前面部、前記脛側後面部、及び前記第２膝後面部の各々の編成組織が、浮き編み組織を含む編成組織である＜１＞から＜１１＞の何れかに記載の膝用サポーター。
＜１３＞  前記膝前面部は、２０Ｎの荷重でサポーター本体の軸方向に伸長させたときの伸長率が５０％以上、５００％以下である＜１＞から＜１２＞の何れかに記載の膝用サポーター。
＜１４＞  前記サポーター本体が丸編みによって軸方向に連続されている＜１＞から＜１３＞の何れかに記載の膝用サポーター。
＜１５＞  前記サポーター本体が、シームレス構造を有する＜１＞から＜１４＞の何れかに記載の膝用サポーター。
＜１６＞  前記サポーター本体に対して太腿側に配置された太腿側口ゴム部と、前記サポーター本体に対して脛側に配置された脛側口ゴム部と、を備える＜１＞から＜１５＞の何れかに記載の膝用サポーター。
【発明の効果】
【００１７】
以上説明したように本発明によれば、膝関節の固定感に優れると共に、膝関節の曲げ伸ばし容易性に優れた膝用サポーターが得られる、という効果がある。
【図面の簡単な説明】
【００１８】
【図１】（本実施の形態の具体例に係る膝用サポーターを示す側方視の斜視図である。
【図２】膝用サポーターの装着状態を示す斜め側方視の斜視図である。
【図３】（Ａ）及び（Ｂ）は、実施例に係るサポーターの概略構成を示す斜視図、（Ｃ）は、比較例に係るサポーターの概略構成を示す斜視図である。
【発明を実施するための形態】
【００１９】
以下、本発明の実施の形態（以下、「本実施の形態」ともいう）について説明する。
本明細書中において、「〜」を用いて表される数値範囲は、「〜」の前後に記載される数値を下限値及び上限値として含む範囲を意味する。
また、本明細書中において、「筒状のサポーター本体の軸方向」は、筒状のサポーター本体の形状を筒形状に維持したときの筒形状の軸方向を指す。本明細書中では、「筒状のサポーター本体の軸方向」を、単に「軸方向」ということがある。本明細書中における「軸方向」は、膝用サポーターの技術分野において「縦方向」と呼ばれることがある方向であり、筒状のサポーター本体に対して脚が挿入される方向ということもできる。
また、本明細書中において、「筒状のサポーター本体の周方向」は、筒状のサポーター本体の形状の筒形状に維持したときの周方向を指す。本明細書中では、「筒状のサポーター本体の周方向」を、単に「周方向」ということがある。本明細書中における「周方向」は、膝用サポーターの技術分野において「横方向」と呼ばれることがある方向である。
また、本明細書中では、脚の膝蓋骨の側を「前面」と称し、脚の膝裏の側を「後面」と称する。
【００２０】
〔膝用サポーター〕
本実施の形態の膝用サポーターは、脚の膝を含む部分に装着され、前記膝の前面をサポートする膝前面部、前記膝の後面をサポートする第１膝後面部、前記脚の前記膝に対して太腿側の前面をサポートする太腿側前面部、前記太腿側の後面部をサポートする太腿側後面部、前記脚の前記膝に対して脛側の前面をサポートする脛側前面部、前記脛側の後面をサポートする脛側後面部、及び前記膝の後面に配置されて前記第１膝後面部と共に前記膝の後面をサポートする第２膝後面部を含む筒状のサポーター本体を備え、前記第１膝後面部と前記第２膝後面部との間において、前記サポーター本体の周方向伸長時の弾性率が、前記第１膝後面部より前記第２膝後面部が低くされた膝用サポーターである。
また、本実施の形態の膝用サポーターは、前記サポーター本体の軸方向への８０％伸長時弾性率が、前記膝前面部をＡ、前記第１膝後面部をＢ、前記太腿側前面部をＣ、前記太腿側後面部をＤ、前記脛側前面部をＥ、前記脛側後面部をＦ、及び前記第２膝後面部をＧとしたときに、下記式（１）から式（３）を満たし、前記サポーター本体の周方向への８０％伸長時弾性率が、前記第１膝後面部をＢＬ、及び前記第２膝後面部をＧＬとしたときに、下記式（４）を満たす膝用サポーターである。
０．７≦（Ｂ／Ａ）                                    ・・・（１）
１＜（Ｃ／Ｄ）                                        ・・・（２）
１＜（Ｅ／Ｆ）                                        ・・・（３）
１＜（ＢＬ／ＧＬ）                                    ・・・（４）
本実施の形態の膝用サポーターは、上記構成を有することにより、膝関節に対する固定感に優れると共に、膝関節の曲げ伸ばし容易性に優れる（膝の曲げ伸ばし動作をやり易くできる）。
【００２１】
以下、上述した効果（膝関節に対する固定感向上及び膝の曲げ伸ばし容易性）に関し、より詳細に説明する。
本発明者等の検討により、膝用サポーターの弾性率と膝用サポーターの脚に対する固定感との間には正の相関があることがわかった。即ち、筒状の膝用サポーターにおいて、周方向の弾性率を高くするほど、脚に対する着圧を高くすることができ（即ち、脚に対する締め付け力を強くすることができ）、その結果、着用者の体感として、脚に対する固定感が向上することがわかった。
しかし、膝裏に対して過度な締め付け力が作用すると、違和感を生じることがわかった。
ここで、発明者等により更なる検討により、膝裏部分に周囲よりも締め付け力が抑制された領域を設けることにより、違和感が生じるのを抑制できることがわかった。即ち、膝裏に対向する領域を複数に分割して、弾性率（着圧）の異なる第１膝後面部及び第２膝後面部を設け、サポーター本体の軸方向への８０％伸長時弾性率（以下、軸方向弾性率ともいう）について第１膝後面部の軸方向弾性率Ｂと第２膝後面部の軸方向弾性率Ｇとの間で式（４）を満たす関係とすることで、着用者の体感として、脚に対する固定感を向上させつつ、膝関節の曲げ伸ばし動作を容易にできることがわかった。
また、本発明者等の検討により、第１膝後面部の軸方向弾性率Ｂを、膝前面部の軸方向弾性率Ａの０．７倍以上とすること（即ち、式（１）を満たすこと）により、膝関節に対する固定感が効果的に向上することがわかった。
【００２２】
一方、膝用サポーターの弾性率と膝用サポーターの伸びとの間には負の相関がある。
この点に関し、本実施の形態の膝用サポーターでは、サポーター本体の軸方向への８０％伸長時弾性率について、太腿側後面部の軸方向弾性率Ｄが太腿側前面部の軸方向弾性率Ｃよりも小さく、かつ、脛側後面部の軸方向弾性率Ｆが脛側前面部の軸方向弾性率Ｅよりも小さいことにより（即ち、式（２）及び式（３）を満たすことにより）、膝関節を曲げた時の、太腿側後面部及び脛側後面部の伸びが確保されるので、膝関節の曲げ伸ばし動作容易性が向上する。より詳細には、脚の太腿側後面（太腿の裏側）及び脛側後面（脛の裏側）は、脚の太腿側前面（太腿の前側）及び脛側前面（脛の前側）と比較して体脂肪率が高く、かつ、膝関節を曲げた時に内側に位置する面である。このため、太腿側後面部及び脛側後面部には、膝関節の曲げ動作時において伸びが要求される。
そこで、本実施形態では、サポーター本体の軸方向について、太腿側後面部の軸方向弾性率Ｄ及び脛側後面部の軸方向弾性率Ｆを、それぞれ、軸方向弾性率Ｃ及び軸方向弾性率Ｅよりも低くすることで、膝の曲げに対する太腿側後面部及び脛側後面部の伸びが確保され、その結果、膝関節の曲げ伸ばし動作容易性が向上する。
【００２３】
本明細書中において、軸方向への膝前面部の８０％伸長時弾性率（軸方向弾性率）Ａは、膝前面部の中心位置（即ち、周方向の中心であってかつ軸方向の中心である位置）を測定中心とする、測定幅（即ち、周方向長さ）１５ｍｍの範囲について測定された値（引張り応力）を意味する。軸方向への８０％伸長時弾性率は、第１膝後面部の軸方向弾性率Ｂ、太腿側前面部の軸方向弾性率Ｃ、太腿側後面部の軸方向弾性率Ｄ、脛側前面部の軸方向弾性率Ｅ、脛側後面部の軸方向弾性率Ｆ、及び第２膝後面部の軸方向弾性率Ｇの各々についても同様である。
【００２４】
本明細書中において、「軸方向への８０％伸長時弾性率」は、つかみ幅１５ｍｍ、つかみ間隔１５ｍｍ、及び引張荷重２０Ｎの条件の引張試験によって測定する。ここで、引張荷重の方向を、サポーター本体の軸方向として、測定行う。
軸方向への８０％伸長時弾性率を測定するための引張試験は、膝用サポーターの一部を、つかみ幅１５ｍｍ及びつかみ間隔１５ｍｍで引張試験機に固定し、１５ｍｍ／ｍｉｎの引張速度にて引張って伸長させ、８０％伸長した時点での弾性率（引張り応力）を読み取って測定値とする。
【００２５】
また、引張試験は、膝用サポーターの一部に対して実施することが困難な場合には、膝用サポーターから３０ｍｍ角の試験片を切り出し、切り出された試験片に対して実施してもよい。
試験回数は５回とし、５回の測定値から、最大値及び最小値を除いた３つの測定値から平均値を求め、この平均値を「軸方向への８０％伸長時弾性率」として採用する。
引張試験の装置は一般的な引張試験機を用いることができるが、例えば、（株）島津製作所製のオートグラフ「ＡＧＳ−Ｘ  １ｋＮ」を用いることができる。
【００２６】
本明細書中において、「周方向への８０％伸長時弾性率」（以下、周方向弾性率ともいう）の測定方法は、試験方向を周方向とすること（引張方向を周方向として、測定を行う）以外は軸方向への８０％伸長時弾性率（軸方向弾性率）の測定方法と同様である。
【００２７】
本実施の形態において、膝前面部の軸方向弾性率Ａ、第１膝後面部の軸方向弾性率Ｂ、太腿側前面部の軸方向弾性率Ｃ、太腿側後面部の軸方向弾性率Ｄ、脛側前面部の軸方向弾性率Ｅ、脛側後面部の軸方向弾性率Ｆ、及び第２膝後面部の軸方向弾性率Ｇの各々は、膝前面部、第１膝後面部、太腿側前面部、太腿側後面部、脛側前面部、脛側後面部、及び第２膝後面部の各々のサポーター本体の軸方向への８０％伸長時弾性率を示す。
また、本実施の形態において、膝前面部の周方向弾性率ＡＬ、第１膝後面部の周方向弾性率ＢＬ、太腿側前面部の周方向弾性率ＣＬ、太腿側後面部の周方向弾性率ＤＬ、脛側前面部の周方向弾性率ＥＬ、脛側後面部の周方向弾性率ＦＬ、及び第２膝後面部の周方向弾性率ＧＬの各々は、膝前面部、第１膝後面部、太腿側前面部、太腿側後面部、脛側前面部、脛側後面部、及び第２膝後面部の各々のサポーター本体の周方向への８０％伸長時弾性率を示す。
【００２８】
本実施の形態において、第２膝後面部の周方向弾性率ＧＬに対する第１膝後面部の周方向弾性率ＢＬの比（ＢＬ／ＧＬ）は、式（４）に示すとおり、１を超える（１＜（ＢＬ／ＧＬ））。これにより、膝裏に対する締め付けが抑制される部分（領域）が生じて、膝裏に対する過度な締め付けが抑制されて、膝関節の曲げ伸ばし動作容易性が向上される。
第２膝後面部の周方向弾性率ＧＬに対する第１膝後面部の周方向弾性率ＢＬの比（ＢＬ／ＧＬ）は、膝関節に対する固定感が低下するのを抑制する観点から３未満（（ＢＬ／ＧＬ）＜３）とすることが好ましく、２．５以下（（ＢＬ／ＧＬ）≦２．５）であることがより好ましい。
【００２９】
サポーター本体における第１膝後面部及び第２膝後面部の配列は、一方が軸方向の上側にされ、他方が軸方向の下側となれるように上下に配列されることが好ましく、第１膝後面部を上下に配置して、第１膝後面部の間に第２膝後面部が配置されることがより好ましい。即ち、サポーター本体の軸方向の下側（脛側）から上側（太腿側）へ向けて、第１膝後面部、第２膝後面部、及び第１膝後面部を配置することがより好ましく、これにより、膝裏部分に締め付け力を抑制して膝関節の曲げ伸ばし動作を容易にできる領域を配置することができる。
【００３０】
膝前面部の軸方向弾性率Ａに対する第１膝面部の軸方向弾性率Ｂの比（Ｂ／Ａ）は、式（１）に示すとおり０．７以上（０．７≦（Ｂ／Ａ））である。式（１）における当該比（Ｂ／Ａ）は、膝関節に関する固定感をより向上させる観点から、０．８以上（０．８≦（Ｂ／Ａ））であることが好ましく、１以上（１≦（Ｂ／Ａ））であることがより好ましく、１．１以上（１．１≦（Ｂ／Ａ））であることが特に好ましい。
また、本実施の形態の膝用サポーターでは、膝前面部の軸方向弾性率Ａに対する第１膝面部の軸方向弾性率Ｂの比（Ｂ／Ａ）が下記式（１ａ）を満たすことが好ましい。
０．７≦（Ｂ／Ａ）≦３                                ・・・式（１ａ）
式（１ａ）の左辺（０．７≦（Ｂ／Ａ））は、前述の式（１）と同義であり、その効果（膝関節に関する固定感）及び膝前面部の軸方向弾性率Ａに対する第１膝後面部の軸方向弾性率Ｂの比（Ｂ／Ａ）の好ましい下限値も同様である。
また、式（１ａ）の右辺（（Ｂ／Ａ）≦３）を満たすことにより、膝関節に対する固定感がより向上する。
式（１ａ）における膝前面部の軸方向弾性率Ａに対する第１膝後面部の軸方向弾性率Ｂの比（Ｂ／Ａ）では、２以下（（Ｂ／Ａ）≦２）であることが好ましく、１．５以下（（Ｂ／Ａ）≦１．５）であることがより好ましい。
【００３１】
本実施の形態の膝用サポーターでは、太腿側前面部の軸方向弾性率Ｃ、太腿側後面部の軸方向弾性率Ｄ、脛側前面部の軸方向弾性率Ｅ、及び脛側後面部の軸方向弾性率Ｆが、下記式（２）及び式（３）を満たすものであれば良く、式（１４）及び下記式（１４）の少なくとも一方（好ましくは下記式（１５）、より好ましくは下記式（１４）及び下記式（１５）の両方）を満たすことがより好ましい。
１＜（Ｃ／Ｄ）                                        ・・・（２）
１＜（Ｅ／Ｆ）                                        ・・・（３）
２≦（Ｃ／Ｄ）≦４０                                  ・・・（１４）
２≦（Ｅ／Ｆ）≦４０                                  ・・・（１５）
【００３２】
本実施の形態の膝用サポーターが、式（１４）の左辺（２≦（Ｃ／Ｄ））及び式（１５）の左辺（２≦（Ｅ／Ｆ））の少なくとも一方を満たすことにより、膝関節の曲げ伸ばし動作容易性がより向上する。
本実施形態の膝用サポーターが、式（１４）の右辺（（Ｃ／Ｄ）≦４０）及び式（１５）の右辺（（Ｅ／Ｆ）≦４０）の少なくとも一方を満たすことにより、太腿側後面部及び脛側後面部のずれがより抑制される。
式（１４）における太腿側後面部の軸方向弾性率Ｄに対する太腿側前面部の軸方向弾性率Ｃの比（Ｃ／Ｄ）は、３０以下（（Ｃ／Ｄ）≦３０）であることが好ましく、２０以下（（Ｃ／Ｄ）≦２０）であることがより好ましい。
式（１５）における脛側後面部の軸方向弾性率Ｆに対する脛側前面部の軸方向弾性率Ｅの比（Ｅ／Ｆ）は、３０以下（（Ｅ／Ｆ）≦３０）であることが好ましく、２０以下（（Ｅ／Ｆ）≦２０）であることがより好ましい。
【００３３】
本実施の形態の膝用サポーターの好ましい一態様（以下、「第１態様」ともいう）として、膝前面部、太腿側前面部、及び脛側前面部において、筒状のサポーター本体の軸方向における８０％伸長時弾性率（膝前面部の軸方向弾性率Ａ、太腿側前面部の軸方向弾性率Ｃ、及び脛側前面部の軸方向弾性率Ｄ）が、下記式（４ａ）及び下記式（５ａ）の少なくとも一方（好ましくは下記式（５ａ）、より好ましくは下記式（４ａ）及び下記式（５ａ）の両方）を満たす態様が挙げられる。
１＜（Ａ／Ｃ）                                        ・・・（４ａ）
１＜（Ａ／Ｅ）                                        ・・・（５ａ）
【００３４】
第１態様は、サポーター本体の軸方向について、膝前面部の軸方向弾性率Ａを、相対的に、太腿側前面部の軸方向弾性率Ｃ及び脛側前面部の軸方向弾性率Ｅの少なくとも一方（好ましくは両方）のよりも高くする態様である。
【００３５】
第１態様によれば、着用者の体感として、膝関節に対する固定感がより効果的に向上する。即ち、第１態様は、特に、膝関節に対する固定感を重視する場合に好適である。
【００３６】
第１態様では、膝前面部の軸方向弾性率Ａ、太腿側前面部の軸方向弾性率Ｃ、及び脛側前面部の軸方向弾性率Ｅが、下記式（４ｂ）及び下記式（５ｂ）の少なくとも一方（好ましくは下記式（５ｂ）、より好ましくは下記式（４ｂ）及び下記式（５ｂ）の両方）を満たすことが好ましい。
１＜（Ａ／Ｃ）≦５                                    ・・・（４ｂ）
１＜（Ａ／Ｅ）≦５                                    ・・・（５ｂ）
【００３７】
第１態様の膝用サポーターが、式（４ｂ）の左辺（１＜（Ａ／Ｃ））及び式（５ｂ）の左辺（１＜（Ａ／Ｅ））の少なくとも一方を満たすことにより、膝関節に対する固定感が向上する。
【００３８】
第１態様において、太腿側前面部の軸方向弾性率Ｃに対する膝前面部の軸方向弾性率Ａの比（Ａ／Ｃ）としては、膝関節に対する固定感をより向上させる観点から、１．５以上（１．５≦（Ａ／Ｃ））が好ましく、２以上（２≦（Ａ／Ｃ））がより好ましい。
第１態様において、脛側前面部の軸方向弾性率Ｅに対する膝前面部の軸方向弾性率Ａの比（Ａ／Ｅ）としては、膝関節に対する固定感をより向上させる観点から、１．５以上（１．５≦（Ａ／Ｅ））が好ましく、２以上（２≦（Ａ／Ｅ））がより好ましい。
【００３９】
第１態様の膝用サポーターが、式（４ｂ）の右辺（（Ａ／Ｃ）≦５）及び式（５ｂ）の右辺（（Ａ／Ｅ）≦５）の少なくとも一方を満たすことにより、膝に対する過度の締め付け（圧迫）がより抑制される。
【００４０】
本実施形態の膝用サポーターにおいて、第１態様とは別の好ましい一態様（以下、「第２態様」ともいう）としては、筒状のサポーター本体について、膝前面部の軸方向弾性率Ａ、太腿側前面部の軸方向弾性率Ｃ、及び脛側前面部の軸方向弾性率Ｅが、下記式（４ｃ）及び下記式（５ｃ）の少なくとも一方（好ましくは下記式（５ｃ）、より好ましくは下記式（４ｃ）及び下記式（５ｃ）の両方）を満たす態様も挙げられる。
０．２≦（Ａ／Ｃ）≦１                                ・・・（４ｃ）
０．２≦（Ａ／Ｅ）≦１                                ・・・（５ｃ）
【００４１】
第２態様は、膝前面部の軸方向弾性率Ａを、相対的に、太腿側前面部の軸方向弾性率Ｃ及び脛側前面部の軸方向弾性率Ｅの少なくとも一方（好ましくは両方）と同じか、軸方向弾性率Ｃ及び軸方向弾性率Ｅの少なくとも一方（好ましくは両方）よりも低くする態様である。
第２態様によれば、着用者の体感として、膝関節の曲げ伸ばし動作容易性がより効果的に向上する。即ち、第２態様は、特に、膝関節の曲げ伸ばし動作容易性を重視する場合に好適である。
【００４２】
本実施形態の膝用サポーターの、第１態様及び第２態様とは別の好ましい一態様（以下、「第３態様」ともいう）として、サポーター本体の軸方向について、膝前面部の軸方向弾性率Ａ、太腿側前面部の軸方向弾性率Ｃ、及び脛側前面部の軸方向弾性率Ｅが、第１態様における式（４ａ）及び第２態様における式（５ａ）を満たす態様が挙げられる。
【００４３】
第３態様では、膝前面部の軸方向弾性率Ａ、太腿側前面部の軸方向弾性率Ｃ、及び脛側前面部の軸方向弾性率Ｅが、Ｃ＜Ａ≦Ｅとなる。
第３態様によれば、着用者の体感として、膝関節の曲げ伸ばし動作容易性がより効果的に向上する。即ち、第３態様は、特に、膝関節の曲げ伸ばし動作容易性を重視する場合に好適である。
【００４４】
本実施の形態の膝用サポーター（上記第１〜第３態様の膝用サポーターを含む。以下同じ。）では、太腿側前面部の軸方向弾性率Ｃ、太腿側後面部の軸方向弾性率Ｄ、脛側前面部の軸方向弾性率Ｅ、及び脛側後面部の軸方向弾性率Ｆが、下記式（６）及び下記式（７）の少なくとも一方を満たすことが好ましい。これにより、膝関節の曲げ伸ばし動作容易性がより向上する。
１＜（Ｅ／Ｄ）                                        ・・・（８）
１＜（Ｃ／Ｆ）                                        ・・・（９）
【００４５】
式（８）における太腿側後面部の軸方向弾性率Ｄに対する脛側前面部の軸方向弾性率Ｅの比（（Ｄ／Ｅ）は、４０以下（（Ｄ／Ｅ）≦４０）であることが好ましい。
式（９）における脛側後面部の軸方向弾性率Ｆに対する太腿側前面部の軸方向弾性率Ｃの比（Ｃ／Ｆ）は、４０以下（（Ｃ／Ｆ）≦４０）であることが好ましい。
【００４６】
本実施形態の膝用サポーターでは、第１膝後面部の軸方向弾性率Ｂ、太腿側後面部の軸方向弾性率Ｄ、及び脛側後面部の軸方向弾性率Ｆが、下記式（１０）及び下記式（１１）の少なくとも一方（好ましくは下記式（１１）、より好ましくは下記式（１０）及び下記式（１１）の両方）を満たすことが好ましい。
６≦（Ｂ／Ｄ）≦５０                                  ・・・（１０）
６≦（Ｂ／Ｆ）≦５０                                  ・・・（１１）
【００４７】
本実施の形態の膝用サポーターが、式（１０）の左辺（６≦（Ｂ／Ｄ））及び式（１１）の左辺（６≦（Ｂ／Ｆ））の少なくとも一方を満たすことにより、膝関節に対する固定感がより向上する。
【００４８】
本実施形態の膝用サポーターが、式（１０）の右辺（（Ｂ／Ｄ）≦５０）及び式（１１）の右辺（（Ｂ／Ｆ）≦５０）の少なくとも一方を満たすことにより、太腿側後面部及び脛側後面部の少なくとも一方のずれ（着用時のずれ。以下同じ。）がより抑制される。
【００４９】
式（１０）における太腿側後面部の軸方向弾性率Ｄに対する第１膝後面部の軸方向弾性率Ｂの比（（Ｂ／Ｄ）は、１０以上（（１０≦（Ｂ／Ｄ））であることが好ましい。
式（１１）における脛側後面部の軸方向弾性率Ｆに対する膝後面部の軸方向弾性率Ｂの比（Ｂ／Ｆ）は、１０以上（１０≦（Ｂ／Ｆ））であることが好ましい。
【００５０】
また、第１膝後面部及び第２膝後面部の好ましい構成として、太腿側及び脛側に第１膝後面部を設け、第１膝後面部の間に第２膝後面部を設けた構成が適用される場合、動作容易性の観点から、太腿側後面部の軸方向弾性率Ｄ及び脛側後面部の軸方向弾性率Ｆに対する第２膝後面部の軸方向弾性率Ｇの比（Ｇ／Ｄ、Ｇ／Ｆ）は、１＜（Ｇ／Ｄ）、及び１＜（Ｇ／Ｆ）の少なくとも一方を満たすことが好ましい。
【００５１】
本実施の形態の膝用サポーターにおいて、太腿側後面部のずれをより抑制する観点から、太腿側後面部の軸方向弾性率Ｄは、０．００１ＭＰａ以上であることが好ましく、０．０１ＭＰａ以上であることがより好ましい。
また、本実施形態の膝用サポーターにおいて、太腿側後面部の軸方向弾性率Ｄは、０．１ＭＰａ以下であることが好ましく、０．０８ＭＰａ以下であることがより好ましい。
【００５２】
本実施の形態の膝用サポーターにおいて、脛側後面部のずれをより抑制する観点から、脛側後面部の軸方向弾性率Ｆは、０．００１ＭＰａ以上であることが好ましく、０．０１ＭＰａ以上であることがより好ましい。
また、本実施形態の膝用サポーターにおいて、脛側後面部の軸方向弾性率Ｆは、０．１ＭＰａ以下であることが好ましく、０．０８ＭＰａ以下であることがより好ましい。
【００５３】
また、本実施の形態の膝用サポーターにおいて、膝に対する過度の締め付け（圧迫）をより抑制し、着用時の快適性をより向上させる観点から、第１膝後面部の軸方向弾性率Ｂは、１．０ＭＰａ以下であることが好ましく、０．７ＭＰａ以下であることがより好ましい。
【００５４】
また、本実施形態の膝用サポーターにおいて、膝に対する固定感をより向上させる観点から、第１膝後面部の軸方向弾性率Ｂは、０．０５ＭＰａ以上であることが好ましく、０．３ＭＰａ以上であることがより好ましい。
【００５５】
本実施の形態の膝用サポーターにおいて、太腿側前面部のずれをより抑制する観点から、太腿側前面部の軸方向弾性率Ｃは、０．００１ＭＰａ以上であることが好ましく、０．５ＭＰａ以上であることがより好ましい。
【００５６】
また、本実施の形態の膝用サポーターにおいて、太腿側前面部の軸方向弾性率Ｃは、１．９ＭＰａ以下であることが好ましく、１．２ＭＰａ以下であることがより好ましい。
【００５７】
本実施の形態の膝用サポーターにおいて、脛側前面部のずれをより抑制する観点から、脛側前面部の軸方向弾性率Ｅは、０．００１ＭＰａ以上であることが好ましく、０．５ＭＰａ以上であることがより好ましい。
【００５８】
また、本実施の形態の膝用サポーターにおいて、脛側前面部の軸方向弾性率Ｅは、１．９ＭＰａ以下であることが好ましく、１．２ＭＰａ以下であることがより好ましい。
また、本実施形態の膝用サポーターにおいて、膝に対する過度の締め付け（圧迫）をより抑制し、着用時の快適性をより向上させる観点から、膝前面部の軸方向弾性率Ａは、０．８ＭＰａ以下であることが好ましく、０．６ＭＰａ以下であることがより好ましい。
また、本実施の形態の膝用サポーターにおいて、膝に対する固定感をより向上させる観点から、膝前面部の軸方向弾性率Ａは、０．１ＭＰａ以上であることが好ましく、０．３ＭＰａ以上であることがより好ましい。
【００５９】
本実施の形態の膝用サポーターにおいて、膝前面部の編成組織、第１膝後面部の編成組織、第２膝後面部の編成組織、太腿側前面部の編成組織、太腿側後面部の編成組織、脛側前面部の編成組織、及び脛側後面部の編成組織の各々が、いずれも浮き編み組織を含む編成組織であることが好ましい。
上記各部の編成組織が浮き編み組織を含む編成組織である場合には、膝用サポーターの製造時、各部間で浮き糸の密度や分布を変化させることにより各部の軸方向弾性率を容易に調整できる。このため、式（１）〜式（４）を満たす膝用サポーターを製造し易い。
【００６０】
また、本実施の形態の膝用サポーターにおいて、太腿側後面部及び脛側後面部は、いずれも凹凸組織領域を含むことが好ましい。この態様によれば、特に、前述の式（１０）及び式（１１）の少なくとも一方を達成し易い。
【００６１】
ここで、凹凸組織領域とは、凹凸形状を有する組織である凹凸組織を含む領域である。
凹凸組織領域に含まれる凹凸組織としては、編物組織（以下、「編物」ともいう）、織物組織（以下、「織物」ともいう）、樹脂シート（例えば、フィルムなど）などが挙げられる。これらの中でも、凹凸組織としては、編物や織物を用いることが好ましく、編物を用いることがより好ましい。また、凹凸組織領域には、単一の凹凸組織を用いてもよく、複数の凹凸組織を組合せて用いてもよい。
【００６２】
これらの中でも、凹凸組織を含む凹凸組織領域としては、着用時の違和感低減、通気性向上、及び動作追従性向上の観点から、凹凸編地を含む凹凸編地領域、凹凸織物を含む凹凸織物領域、又は、凹凸編地と凹凸織物とを含む凹凸組織領域が好ましく、凹凸編地を含む凹凸編地領域がより好ましい。
【００６３】
凹凸編地領域とは、凹凸形状を有する編み組織である凹凸編地を含む領域である。
凹凸編地領域に含まれる凹凸編地としては、単一の凹凸編地であってもよく、２種以上の凹凸編地であってもよい。
【００６４】
凹凸編地領域の面積としては、着用時の伸張した状態での凹凸編地領域の面積が、４ｃｍ２以上であることが好ましく、６ｃｍ２以上であることがより好ましい。
また、凹凸編地領域の周方向長さは、関節用サポーター部の全周長さ（詳しくは、凹凸編地領域を横切る全周の長さ）の１／６以上の長さであることが好ましく、１／３以上の長さであることがより好ましい。
ここで、凹凸編地領域の周方向長さとは、凹凸編地領域が周方向に分割して配置される場合には、周方向に重複なく寄せ集めた場合の総周方向長さをいう。
【００６５】
凹凸編地領域は、一端側領域及び／又は他端側領域中に複数配置されていてもよい。一端側領域及び／又は他端側領域中に複数の凹凸編地領域を配置する場合、その配置は特に限定されない。
凹凸編地領域の形状及び隣接する領域との境界ラインの形状は、特に限定されない。これらは、デザイン性の観点から、適宜設計できる。
【００６６】
一方、膝前面部は、筒状のサポーター本体の軸方向に２０Ｎの荷重で伸長させたときの該軸方向の伸長率（以下、単に「２０Ｎ軸方向伸長率」という）が、５０％〜５００％であることが好ましい。
膝前面部の２０Ｎ軸方向伸長率が５０％以上であると、膝関節の曲げ伸ばし動作容易性がより向上する。
膝前面部の２０Ｎ軸方向伸長率が５００％以下であると、膝関節に対する固定感がより向上する。
【００６７】
膝関節の固定感は、膝前面部の２０Ｎ軸方向伸長率が低くなるに従って向上されることから、膝前面部の２０Ｎ軸方向伸長率は、膝関節に対する固定感をより向上させる観点から、４００％以下が好ましく、３００％以下がより好ましく、２００％以下が特に好ましい。
【００６８】
本明細書中において、膝前面部の２０Ｎ軸方向伸長率は、膝前面部の中心位置（即ち、周方向の中心であってかつ軸方向の中心である位置）を測定中心とする、測定幅（即ち、周方向長さ）１５ｍｍの範囲について測定された値を意味する。
後述する太腿側後面部の２０Ｎ軸方向伸長率及び脛側サポート部の２０Ｎ軸方向伸長率についても同様である。
【００６９】
本明細書中において、「２０Ｎ軸方向伸長率」は、つかみ幅１５ｍｍ、つかみ間隔１５ｍｍ、及び引張荷重２０Ｎの条件の引張試験によって測定する。ここで、引張荷重の方向は、サポーター本体の軸方向である。
「２０Ｎ軸方向伸長率」（％）は、下記式（１７）により算出される値を指す。
２０Ｎ軸方向伸長率（％）＝（Ｌ２０／Ｌ０）×１００    ・・・（１７）
〔式（１７）において、Ｌ０は、初期（即ち非伸長時）のつかみ間隔を指し、具体的には、１５ｍｍである。Ｌ２０は、２０Ｎの引張荷重が印加された状態（即ち伸長時）でのつかみ間隔を指す。〕
【００７０】
２０Ｎ軸方向伸長率を測定するための引張試験は、膝用サポーターの一部を、つかみ幅１５ｍｍ及びつかみ間隔１５ｍｍで引張試験機に固定し、１５ｍｍ／ｍｉｎの引張速度にて行う。
また、引張試験は、膝用サポーターの一部に対して実施することが困難な場合には、膝用サポーターから３０ｍｍ角の試験片を切り出し、切り出された試験片に対して実施してもよい。
試験回数は５回とし、５回の測定値から、最大値及び最小値を除いた３つの測定値から平均値を求め、この平均値から算出された値を「２０Ｎ軸方向伸長率」として採用する。
【００７１】
引張試験の装置は一般的な引張試験機を用いることができるが、例えば、（株）島津製作所製のオートグラフ「ＡＧＳ−Ｘ  １ｋＮ」を用いることができる。
【００７２】
太腿側後面部は、２０Ｎ軸方向伸長率が、１５０％〜８５０％であることが好ましい。
太腿側後面部の２０Ｎ軸方向伸長率が１５０％以上であると、膝関節の曲げ伸ばし動作容易性がより向上する。
太腿側後面部の２０Ｎ軸方向伸長率が８５０％以下であると、太腿側後面部のずれがより抑制される。
脛側後面部は、２０Ｎ軸方向伸長率が、１５０％〜８５０％であることが好ましい。
脛側後面部の２０Ｎ軸方向伸長率が１５０％以上であると、膝関節の曲げ伸ばし動作容易性がより向上する。
脛側後面部の２０Ｎ軸方向伸長率が８５０％以下であると、脛側後面部のずれがより抑制される。
【００７３】
また、太腿側後面部の軸方向の最大点伸度は、２１０％〜８５０％であることが好ましく、４２０％〜７５０％であることがより好ましい。
太腿側後面部の軸方向の最大点伸度が２１０％以上であると、膝関節の曲げ伸ばし動作における筋肉の伸び縮みにより追従し易くなり、その結果、膝関節の曲げ伸ばし動作容易性がより向上する。
太腿側後面部の軸方向の最大点伸度が８５０％以下であると、太腿側後面部のずれがより抑制される。
【００７４】
また、脛側後面部の軸方向の最大点伸度は、２１０％〜８５０％であることが好ましく、４２０％〜７５０％であることがより好ましい。
脛側後面部の軸方向の最大点伸度が２１０％以上であると、膝関節の曲げ伸ばし動作における筋肉の伸び縮みにより追従し易くなり、その結果、膝関節の曲げ伸ばし動作容易性がより向上する。
脛側後面部の軸方向の最大点伸度が８５０％以下であると、太腿側後面部のずれがより抑制される。
【００７５】
ここで、最大点伸度を測定するための引張試験は、膝用サポーターの一部を、つかみ幅１５ｍｍ及びつかみ間隔１５ｍｍで引張試験機に固定し、１５ｍｍ／ｍｉｎの引張速度にて行う。
また、引張試験は、膝用サポーターの一部に対して実施することが困難な場合には、膝用サポーターから３０ｍｍ角の試験片を切り出し、切り出された試験片に対して実施してもよい。
試験回数は５回とし、５回の測定値から、最大値及び最小値を除いた３つの測定値から平均値を求め、この平均値を「最大点伸度」として採用する。
引張試験の装置は一般的な引張試験機を用いることができるが、例えば、（株）島津製作所製のオートグラフ「ＡＧＳ−Ｘ  １ｋＮ」を用いることができる。
【００７６】
筒状のサポーター本体は、丸編みによって連続的に製造されたものであることが好ましい。
これにより、筒状のサポーター本体を構成する各部が別個に製造され、次いでこれらを縫い合わせた場合と比較して、縫い目によって形成された突起部による違和感を生じることなく、装着時のフィット感がより向上するという効果が奏される。更に、上記各部が、丸編みによって連続的に製造されたものであると、筒状のサポーター本体の全体の伸長率を確保し易いという効果も奏される。
【００７７】
また、筒状のサポーター本体の構造に着目すると、上述した装着時のフィット感及び伸長率の確保の観点から、筒状のサポーター本体は、シームレス構造を有することが好ましい。ここで、シームレス構造とは、軸方向の縫い目（例えば、縫い合わせにより筒形状を形成するための縫い目）も周方向の縫い目（例えば、各部を縫い合わせるための縫い目）も無い一体型の構造を意味する。
シームレス構造の筒状のサポーター本体は、例えば、筒状のサポーター本体を、丸編みによって連続的に製造することにより形成できる。
【００７８】
本実施形態の膝用サポーターは、更に、筒状のサポーター本体に対して太腿側（太腿側前面部及び太腿側後面部の上側）に配置されたリング状の太腿側口ゴム部と、筒状のサポーター本体に対して脛側（脛側前面部及び脛側後面部の下側）に配置されたリング状の脛側口ゴム部と、を備えることが好ましい。これにより、膝用サポーターのずれ落ちやめくれがより効果的に抑制される。
【００７９】
本実施の形態の膝用サポーターが太腿側口ゴム部及び脛側口ゴム部を備える場合、太腿側口ゴム部及び脛側口ゴム部は、それぞれ、縫い合わせによってサポーター本体と接続されていてもよいし、それぞれ、丸編みによってサポーター本体とともに連続的に製造されていてもよい。
【００８０】
また、少なくとも上記太腿側口ゴム部の裏面（即ち、脚との対向面。以下同じ。）の少なくとも一部には、膝サポーターのずれ落ち抑制の観点から、樹脂層（例えば、シリコーンゴム層、アクリル樹脂層、アクリルウレタン樹脂層等）が設けられていることが好ましい。樹脂層は、例えば印刷によって形成できる。樹脂層は、脛側口ゴム部の裏面に設けられていてもよい。
【００８１】
なお、膝用サポーターは、上記以外のその他の部材を備えていてもよい。
その他の部材としては、例えば膝の脇に対応する位置に設けられ、適度に膝の動きを制御することによって膝を保護する棒状の支持部材（ステー）；サポーター本体を脚に固定するための固定ベルト；等が挙げられる。
特に、太腿側口ゴム部の表面（脚との対向面に対して反対側の面）に固定ベルトを備えることにより、膝サポーターのずれ落ちをより効果的に抑制できる。固定ベルトは、脚に対する締め付け力を調整する部材（例えば面ファスナー）を備えることが好ましい。
【００８２】
本実施の形態における膝前面部は、膝前面部の周方向弾性率ＡＬに対する膝前面部の軸方向弾性率Ａの比（Ａ／ＡＬ）が、０．４以上（０．４≦（Ａ／ＡＬ））であることが好ましく、０．５以上（０．５≦（Ａ／ＡＬ））であることがより好ましく、０．７以上（０．７≦（Ａ／ＡＬ））であることが更に好ましく、１（１≦（Ａ／ＡＬ））以上であることが更に好ましく、１を超えること（１＜（Ａ／ＡＬ））が更に好ましい。
【００８３】
本実施の形態の膝用サポーターは、膝前面部の周方向弾性率ＡＬに対する軸方向弾性率Ａの比（Ａ／ＡＬ）が、０．５以上（０．５≦（Ａ／ＡＬ））であると、膝関節に対する固定感がより向上する。
膝前面部において、周方向弾性率ＡＬに対する軸方向弾性率Ａの比（Ａ／ＡＬ）としては、膝関節に対する固定感をより向上させる観点から、１．２以上（１．２≦（Ａ／ＡＬ））が更に好ましく、１．５以上（１．５≦（Ａ／ＡＬ））が更に好ましい。
【００８４】
また、膝前面部は、膝前面部の周方向弾性率ＡＬに対する軸方向弾性率Ａの比（Ａ／ＡＬ）としては、膝関節に対するフィット感をより向上させる観点から、５．０以下（（Ａ／ＡＬ）≦５．０）が好ましく、４．０以下（（Ａ／ＡＬ）≦４．０）がより好ましく、３．０以下（（Ａ／ＡＬ）≦３．０）が特に好ましい。
【００８５】
本実施の形態における第１膝後面部は、第１膝後面部の周方向弾性率ＢＬに対する第１膝後面部の軸方向弾性率Ｂの比（Ｂ／ＢＬ）が１を超えること（１＜（Ｂ／ＢＬ））が好ましい。これにより、膝関節に対する固定感がより向上する。
【００８６】
第１膝後面部における周方向弾性率ＢＬに対する軸方向弾性率Ｂの比（Ｂ／ＢＬ）としては、膝関節に対する固定感をより向上させる観点から、１．５以上（１．５≦（Ｂ／ＢＬ））が好ましく、２．０以上（２≦（Ｂ／ＢＬ））がより好ましい。
また、第１膝後面部は、周方向弾性率ＢＬに対する軸方向弾性率Ｂの比（Ｂ／ＢＬ）が、膝関節に対するフィット感をより向上させる観点から、６．０以下（（Ｂ／ＢＬ）≦６．０）が好ましく、５．０以下（（Ｂ／ＢＬ）≦５．０）がより好ましい。
【００８７】
一方、第２膝後面部における周方向弾性率ＧＬに対する軸方向弾性率Ｇの比（Ｇ／ＧＬ）は、第１膝後面部における周方向弾性率ＢＬに対する軸方向弾性率Ｂの比（Ｂ／ＢＬ）と同様にすることが好ましいが、異なっても良い。
【００８８】
本実施の形態において膝前面部と第２膝後面部との間では、第２膝後面部の周方向弾性率ＧＬが膝前面部の周方向弾性率ＡＬよりも低いことが好ましい。即ち、第２膝後面部の周方向弾性率ＧＬに対する膝前面部の周方向弾性率ＡＬの比（ＡＬ／ＧＬ）が１より大きく（１＜（ＡＬ／ＧＬ）、式（５）を満たす）されていることが好ましく、これにより、膝の周囲において応力を緩和する向きが膝前から膝裏へ向けられるので、膝裏側における締め付け感が抑制されると共に、膝の固定感が向上される。
【００８９】
第２膝後面部の周方向弾性率ＧＬに対する膝前面部の周方向弾性率ＡＬの比（ＡＬ／ＧＬ）は、膝関節に対する固定感が低下するのを抑制する観点から、３未満（（ＡＬ／ＧＬ）＜３）とすることが好ましく、２．５以下（（ＡＬ／ＧＬ）≦２．５）であることがより好ましい。
【００９０】
本実施の形態における太腿側後面部は、周方向弾性率ＤＬに対する軸方向弾性率Ｄの比（Ｄ／ＤＬ）が１未満（（Ｄ／ＤＬ）＜１）であることが好ましい。これにより、膝関節の曲げ伸ばし動作容易性がより向上する。
太腿側後面部は、周方向弾性率ＤＬに対する軸方向弾性率Ｄの比（Ｄ／ＤＬ）が、膝関節の曲げ伸ばし動作容易性をより向上させる観点から、０．８以下（（Ｄ／ＤＬ）≦０．８）が好ましく、０．５以下（（Ｄ／ＤＬ）≦０．５）がより好ましく、０．４以下（（Ｄ／ＤＬ）≦０．４）が特に好ましい。
太腿側後面部における周方向弾性率ＤＬに対する軸方向弾性率Ｄの比（Ｄ／ＤＬ）としては、製造適性の観点から、０．１以上（０．１＜（Ｄ／ＤＬ））が好ましい。
【００９１】
本実施形態における脛側後面部は、周方向弾性率ＦＬに対する軸方向弾性率Ｆの比（Ｆ／ＦＬ）が１未満（（Ｆ／ＦＬ）＜１）であることが好ましい。これにより、膝関節の曲げ伸ばし動作容易性がより向上する。
脛側後面部における周方向弾性率ＦＬに対する軸方向弾性率Ｆの比（Ｆ／ＦＬ）としては、膝関節の曲げ伸ばし動作容易性をより向上させる観点から、０．８以下（（Ｆ／ＦＬ）＜０．８）が好ましく、０．５以下（（Ｆ／ＦＬ）＜０．５）がより好ましく、０．４以下（（Ｆ／ＦＬ）＜０．４）が特に好ましい。
【００９２】
本実施の形態において、太腿側後面部における周方向弾性率ＤＬに対する軸方向弾性率Ｄの比（Ｄ／ＤＬ）としては、製造適性の観点から、０．１以上（０．１≦（Ｄ／ＤＬ）が好ましい。
【００９３】
一方、本実施の形態において、第１膝後面部と第２膝後面部との総面積ＴＳに対する第２膝後面部の面積Ｓの比率（（Ｓ／ＴＳ）×１００（％））は、３０％以上、６０％以下であることが好ましい。総面積ＴＳに対する第２膝後面部の面積Ｓの比率が３０％未満であると、第２膝後面部による締め付け感の緩和効果が低くなり、固定感が乏しくなる。総面積ＴＳに対する第２膝後面部の面積Ｓの比率が６０％を超えることで、第２膝後面部による締め付け感の低下が大きくなり、膝関節の動作容易性が得られても、膝関節に対する固定感が低下する。
【００９４】
次に、図面を参照しながら、本実施の形態の具体例について説明するが、本実施の形態は、以下の具体例に限定されることはない。
図１には、本具体例に係る膝用サポーター１０の概略構成が斜視図にて示されており、図２には、具体例に係る膝用サポーター１０の着用状態が斜め側方から見た斜視図にて示されている。図１では、膝用サポーターの軸方向上側が矢印ＵＰにて示され、周方向が矢印Ｒにて示されている。
本明細書中において、「前方（前方向）」とは、膝裏側（即ち、膝窩部側）から膝蓋骨側に向かう方向を指し、「上方（上方向）」とは、脛側から太腿側に向かう方向を指す。
【００９５】
本具体例に係る膝用サポーター１０は、人の脚１２の膝１４において太腿１６側から脛１８側の範囲に装着される。
図１及び図２に示す如く、本具体例に係る膝用サポーター１０は、筒状のサポーター本体２０を備えている。サポーター本体２０は、膝１４の前面をサポートする膝前面部２２、膝１４の後面（膝裏）をサポートする膝後面部２４、脚１２の膝１４に対して太腿１６側の前面をサポートする太腿側前面部２６、太腿１６側の後面をサポートする太腿側後面部２８、脚１２の膝１４に対して脛１８側の前面をサポートする脛側前面部３０、及び脛１８側の後面をサポートする脛側後面部３２から構成されている。
また、サポーター本体２０は、膝後面部２４が第１膝後面部３４及び第２膝後面部３６により構成されている。
【００９６】
膝後面部２４は、第１膝後面部３４及び第２膝後面部３６の一方が太腿側後面部２８側とされ、他方が脛側後面部３２側であってもよいが、第１膝後面部３４を二分割して、一方を太腿側後面部２８側とし、他方を脛側後面部３２側にすると共に、２つの第１膝後面部３４の間に第２膝後面部３６を設けることがより好ましい。これにより、膝後面部２４は、下方（脛側後面部３２側）から上方（太腿側後面部２８側）に向けて、第１膝後面部３４、第２膝後面部３６、第１膝後面部２４の順に配列される。
【００９７】
膝用サポーター１０は、サポーター本体２０に対して太腿１６側に配置された太腿側口ゴム部３８と、筒状のサポーター本体２０に対して脛１８側に配置された脛側口ゴム部４０と、を備えている。
本具体例では、上述した各部が一体化されて、筒状の膝用サポーター１０が構成されている。
【００９８】
更に、本具体例では、膝前面部２２、太腿側前面部２６、太腿側後面部２８、脛側前面部３０、脛側後面部３２、第１膝後面部３４、及び第２膝後面部３６の各部の軸方向への８０％伸長時弾性率が、軸方向弾性率Ａ、Ｃ、Ｄ、Ｅ、Ｆ、Ｂ、Ｇにされている。本具体例では、各部の軸方向弾性率Ａ〜Ｇが、上述した式（１）〜式（４）、式（４ａ）、及び式（５ａ）を満たす（以上、第１態様）か、前述の式（１）〜式（４）、式（４ｃ）、及び式（５ｃ）を満たす（以上、第２態様）か、又は、前述の式（１）〜式（４）、式（４ａ）、及び式（５ｃ）を満たす（以上、第３態様）ように構成されている。
【００９９】
各部の軸方向弾性率Ａ〜Ｇのより好ましい態様は、前述のとおりである。
膝用サポーター１０において、各部の境界線は、外見上、必ずしも明確である必要はない。各部の境界線が外見上明確でない場合であっても、各部の境界線は、各部の弾性率（軸方向への８０％伸長時弾性率、及び周方向への８０％伸長時弾性率）の差によって区別することができる。
【０１００】
膝用サポーター１０において、太腿側口ゴム部３８、サポーター本体２０、及び脛側口ゴム部４０は、丸編みによって連続的に製造されており、シームレス構造を有している。これにより、装着時のフィット感に特に優れたものとなっている。
但し、本実施形態はこの一例に限られず、各部を単独の部材として別々に製造しておき、次いで各部を縫い合わせることによってサポーター本体を製造しても構わない。
【０１０１】
また、太腿側口ゴム部３８、サポーター本体２０、及び脛側口ゴム部４０を含めた膝用サポーター１０の全体又は一部を、丸編みによって連続的に製造してもよい。即ち、膝用サポーター１０の全体又は一部の構造がシームレス構造となっていてもよい。
【０１０２】
膝用サポーター１０の材質としては、ポリエステル、ポリプロピレン、ポリウレタン、ポリオレフィン、ポリオレフィン系エラストマー、ポリアミド、レーヨン、アクリル、キュプラ、アセテート、プロミックス、アラミド、シリコーンなどの化繊；綿、羊毛、絹、麻、レーヨンなどの天然繊維；天然ゴム；ポリ塩化ビニル；等が挙げられる。
中でも、ポリエステル、ポリウレタン、ポリアミド、ポリオレフィン、ポリオレフィン系エラストマー、シリコーン、又は天然ゴムが好ましく、長期耐久性の観点から、ポリエステル、ポリウレタン、ポリアミド、ポリオレフィン、又はポリオレフィン系エラストマーがより好ましい。
【０１０３】
膝用サポーター１０の紡糸としては、モノフィラメント；マルチフィラメント；ウレタン又はゴムを被覆したＳＣＹ（Single Covering Yarn）；ウレタン又はゴムを被覆したＤＣＹ（Double Covering Yarn）等が挙げられる。
【０１０４】
膝前面部２２の編成組織、太腿側前面部２６の編成組織、太腿側後面部２８の編成組織、脛側前面部３０の編成組織、脛側後面部３２の編成組織、第１膝後面部３４の編成組織及び第２膝後面部３６の編成組織は、前述のとおり、いずれも浮き編み組織を含む編成組織であることが好ましい。
太腿側口ゴム部３８及び脛側口ゴム部４０の編み組織としては、ゴム編み組織又はノンラン編み組織が好ましい。
【０１０５】
膝用サポーター１０の編み組織の表面には、樹脂が含浸されていてもよいし、印刷が施されていてもよい。
また、膝用サポーター１０は、編み組織以外のその他の組織を含んでいてもよい。
その他の組織としては、ネオプレンゴムを含む組織、ネオプレンゴム積層体を含む組織等が挙げられる。
【０１０６】
膝用サポーター１０の、材質、紡糸、及び編み組織については、例えば、特開２０１１−１３０７８４号公報、特開２００７−９３６２号公報、特開２０１０−１３７６５号公報、特開２０００−１１６６９７号公報、特開２００７−５４１２６号公報等に記載の公知の材質、紡糸、及び編み組織を参照してもよい。
【０１０７】
次に、膝用サポーター１０の好ましい大きさを、図１を参照しながら説明する。なお、本明細書中における軸方向長さは、非伸長時の軸方向長さを意味し、本明細書中における平均周長は、非伸長時の平均周長を意味する。
【０１０８】
膝前面部２２と膝後面部２４（第１膝後面部３４と第２膝後面部３６）とからなる筒状部分（膝前面部２２と第１膝後面部３４とからなる筒状部分及び、膝前面部２２と第２膝後面部３６とからなる筒状部分；以下、「膝サポート部４２」ともいう）の軸方向長さＬ１は、６０ｍｍ〜２００ｍｍが好ましく、８０ｍｍ〜１８０ｍｍがより好ましい。
【０１０９】
また、膝後面部２４において、第１膝後面部３４及び第２膝後面部３６の軸方向長さは、第２膝後面部３６の軸方向長さをＬＧとしたときに、長さＬ１に対して長さＬＧが３０％〜６０％の範囲にすることが好ましい。即ち、本具体例では、２つの第１膝後面部３４の間に第２膝後面部３６を設けており、第１膝後面部３４の各々の長さＬＢは、ＬＢ＝（Ｌ１−ＬＧ）／２となる。この際、長さＬＧは、下記式（１８）を満たすことが好ましい。
（（Ｌ２）×０．３）≦ＬＧ≦（（Ｌ２）×０．６）      ・・・（１８）
【０１１０】
この場合、第１膝後面部３４及び第２膝後面部の平均周長が同じであれば、膝後面部２４の総面積（第１膝後面部３４の面積と第２膝後面部３６の面積の総和）をＴＳ、第２膝後面部３６の面積をＳとすると、総面積ＴＳに対する面積Ｓの比率が３０％〜６０％の範囲となることが好ましい。
【０１１１】
太腿側前面部２６及び太腿側後面部２８からなる筒状部分（以下、「太腿側サポート部４４」ともいう）の軸方向長さＬ２は、３０ｍｍ〜２００ｍｍが好ましく、３０ｍｍ〜１５０ｍｍがより好ましい。
脛側前面部３０及び脛側後面部３２からなる筒状部分（以下、「脛側サポート部４６」ともいう）の軸方向長さＬ３は、３０ｍｍ〜２００ｍｍが好ましく、３０ｍｍ〜１５０ｍｍがより好ましい。
【０１１２】
太腿側口ゴム部３８の軸方向長さＬ４は、１０ｍｍ〜１００ｍｍが好ましく、１０ｍｍ〜８０ｍｍがより好ましく、２０ｍｍ〜７０ｍｍが特に好ましい。
脛側口ゴム部４０の軸方向長さＬ５は、１０ｍｍ〜１００ｍｍが好ましく、１０ｍｍ〜８０ｍｍがより好ましく、２０ｍｍ〜７０ｍｍが特に好ましい。
【０１１３】
膝用サポーター１０（全体）の軸方向長さは、１４０ｍｍ〜７６０ｍｍが好ましく、１８０ｍｍ〜６２０ｍｍがより好ましい。
本明細書中において、軸方向長さは、下記式で表される値である。
軸方向長さ  ＝  （軸方向の最大長さ＋軸方向の最小長さ）／２
【０１１４】
膝サポート部４２の平均周長は、１００ｍｍ〜３００ｍｍが好ましく、１５０ｍｍ〜２８０ｍｍがより好ましい。
太腿側サポート部４４の平均周長は、１００ｍｍ〜４００ｍｍが好ましく、１５０ｍｍ〜３５０ｍｍがより好ましい。
脛側サポート部４６の平均周長は、１００ｍｍ〜３５０ｍｍが好ましく、１００ｍｍ〜３００ｍｍがより好ましい。
【０１１５】
太腿側口ゴム部３８の平均周長は、１８０ｍｍ〜３５０ｍｍが好ましく、１８０ｍｍ〜３２０ｍｍがより好ましく、２００ｍｍ〜３２０ｍｍが特に好ましい。
脛側口ゴム部４０の平均周長は、１００ｍｍ〜３５０ｍｍが好ましく、１２０ｍｍ〜３００ｍｍがより好ましい。
ここで、平均周長は、下記式で表される値である。
平均周長    ＝  （最大周長＋最小周長）／２
【実施例】
【０１１６】
以下、本発明を実施例により具体的に説明するが、本発明はこれらの実施例に限定されるものではない。
上述した膝用サポーター１０と同様の構成を有するサポーター１０Ａ（実施例１）、サポーター１０Ｂ（実施例２）を作製した。また、比較例として、編成が２種類のみとしたサポーター１０Ｚを用いた。図３（Ａ）には、実施例１に係るサポーター１０Ａの概略構成が示され、図３（Ｂ）には、実施例２に係るサポーター１０Ｂが示され、図３（Ｃ）には、比較例に係るサポーター１０Ｚが示されている。
【０１１７】
実施例１、２、及び比較例に係るサポーター１０Ａ、１０Ｂ、１０Ｚは、サポーター本体２０Ａ、２０Ｂ、２０Ｚの構成が相違するが、太腿側口ゴム部３８Ａ、筒状のサポーター本体２０Ａ、２０Ｂ、２２Ｚ、及び脛側口ゴム部４０Ａを、丸編みによって連続的に編成することにより製造した。
サポーター１０Ａは、筒状のサポーター本体２０Ａにおいて、編成組織を浮き編み組織を含む編成組織とした。この際、筒状のサポーター本体２０Ａを構成する各部（膝前面部２２Ａ、第１膝後面部３４Ａ、第２膝後面部３６Ａ、太腿側前面部２６Ａ、太腿側後面部２８Ａ、脛側前面部３０Ａ、及び脛側後面部３２Ａ間で、浮き糸の密度及び分布を変化させることにより、各部の軸方向弾性率が式（１）〜式（４）、式（４ａ）、及び式（５ａ）を満たすようにした。
【０１１８】
また、太腿側口ゴム部３８Ａ及び脛側口ゴム部４０Ａの編成組織は、いずれもノンラン編み組織とした。
サポーター１０Ａの材質は、ナイロン及びポリウレタンである。
【０１１９】
サポーター１０Ａの非伸長時のサイズは以下のとおりである。
・膝サポート部４２Ａ        ・・・軸方向長さ１３０ｍｍ、平均周長２２０ｍｍ
・太腿側サポート部４４Ａ    ・・・軸方向長さ５０ｍｍ、平均周長２０８ｍｍ
・脛側サポート部４６Ａ      ・・・軸方向長さ４５ｍｍ、平均周長１９５ｍｍ
・太腿側口ゴム部３８Ａ      ・・・軸方向長さ３０ｍｍ、平均周長２８０ｍｍ
・脛側口ゴム部４０Ａ        ・・・軸方向長さ２０ｍｍ、平均周長２４０ｍｍ
【０１２０】
また、サポーター１０Ａでは、第１膝後面部３４Ａと第２膝後面部３６Ａの総面積ＴＳに対する第２膝後面部３６Ａの面積Ｓの比率を３３％としている。
【０１２１】
サポーター１０Ｂは、筒状のサポーター本体２０Ｂにおいて、編成組織を浮き編み組織を含む編成組織とした。この際、筒状のサポーター本体２０Ｂを構成する各部（膝前面部２２Ｂ、第１膝後面部３４Ｂ、第２膝後面部３６Ｂ、太腿側前面部２６Ｂ、太腿側後面部２８Ｂ、脛側前面部３０Ｂ、及び脛側後面部３２Ｂ間で、浮き糸の密度及び分布を変化させることにより、各部の軸方向弾性率が式（１）〜式（４）、式（４ａ）、及び式（５ａ）を満たすようにした。
【０１２２】
また、太腿側口ゴム部３８Ｂ及び脛側口ゴム部４０Ｂの編成組織は、サポーター１０Ａの太腿側口ゴム部３８Ａ及び脛側口ゴム部４０Ａの編成組織と同様に、いずれもノンラン編み組織とした。
サポーター１０Ｂの材質は、サポーター１０Ａと同様の材質（ナイロン及びポリウレタン）にしている。また、サポーター１０Ｂは、膝サポート部４２Ｂ、太腿側サポート部４４Ｂ、脛側サポート部４６Ｂ、太腿側口ゴム部３８Ａ、脛側口ゴム部４０Ａのサイズをサポーター１０Ａの膝サポート部４２Ａ、太腿側サポート部４４Ａ、脛側サポート部４６Ａ、太腿側口ゴム部３８Ａ、脛側口ゴム部４０Ａのサイズと同様にしている。
【０１２３】
ここで、サポーター１０Ｂでは、第１膝後面部３４Ａと第２膝後面部３６Ａの総面積ＴＳに対する第２膝後面部３６Ａの面積Ｓの比率を５０％としており、この点でサポーター１０Ａと相違している。
【０１２４】
サポーター１０Ｚは、サポーター本体２０Ｚの編成組織を浮き編み組織を含む編成組織とした。この際、筒状のサポーター本体２０Ｚが膝前面部２２Ｚ、膝後面部２４Ｚ、太腿側前面部２６Ｚ、太腿側後面部２８Ｚ、脛側前面部３０Ｚ、及び脛側後面部３２Ｚに構成されており、膝後面部２４Ｚが第１膝後面部と第２膝後面部に分割されていない点で、サポーター本体２０Ｚがサポーター本体２０Ａ、２０Ｂと相違する。
【０１２５】
サポーター１０Ｚは、筒状のサポーター本体２０Ｚにおいて、膝前面部２２Ｚについては、サポーター１０Ａ、１０Ｂの膝前面部２２Ａ、２２Ｂと同様の編成組織にしたが、膝後面部２４Ｚの編成組織は、サポーター１０Ａ、１０Ｂの第１膝後面部３４Ａ、３４Ｂの編成組織と同様にしている点で、サポーター１０Ｚは、サポーター１０Ａ、１０Ｂと相違する。また、サポーター１０Ｚは、太腿側前面部２６Ｚ、太腿側後面部２８Ｚ、脛側前面部３０Ｚ、及び脛側後面部３２Ｚの編成組織が、サポーター１０Ａ、１０Ｂの太腿側前面部２６Ａ、２６Ｂと同様の編成組織にされており、この点において、サポーター１０Ｚは、サポーター１０Ａ、１０Ｂと相違している。
また、太腿側口ゴム部３８Ｚ及び脛側口ゴム部４０Ｚの編成組織は、いずれもノンラン編み組織としており、サポーター１０Ａ、１０Ｂと同様にされている。
【０１２６】
サポーター１０Ｚの材質は、サポーター１０Ａ、１０Ｂと同様の材質（ナイロン及びポリウレタン）とされ、膝サポート部４２Ｚ、太腿側サポート部４４Ｚ、脛側サポート部４６Ｚ、太腿側口ゴム部３８Ｚ、脛側口ゴム部４０Ｚのサイズをサポーター１０Ａの膝サポート部４２Ａ、太腿側サポート部４４Ａ、脛側サポート部４６Ａ、太腿側口ゴム部３８Ａ、脛側口ゴム部４０Ａのサイズと同様にしている。
【０１２７】
上記サポーター１０Ａ、１０Ｂ、１０Ｚの各部について、軸方向への８０％伸長時弾性率（軸方向弾性率）、周方向への８０％伸長時弾性率（周方向弾性率）、軸方向への２０Ｎ伸長時弾性率、周方向への２０Ｎ伸長時弾性率、及び着圧の測定を行った。
【０１２８】
軸方向弾性率（８０％伸長時弾性率）、周方向弾性率（８０％伸長時弾性率）、及び２０Ｎ軸方向伸長率の測定方法は前述したとおりである。
２０Ｎ周方向伸長率の測定方法は、測定方向を周方向とすること以外は、２０Ｎ軸方向伸長率の測定方法と同様である。
【０１２９】
着圧は、マネキンの脚に膝用サポーターを装着し、膝の周囲について一般的な方法によって測定して求める。
マネキンとしては、２０代男性標準寸法マネキン（（株）七彩製、製品名「ＭＤ−２０Ａ」）を用いた。
マネキンＭＤ−２０Ａは、サイズが膝の中心位置を基準とし太腿側１００ｍｍの位置の周囲長が４０５ｍｍ、太腿側３０ｍｍの位置の周囲長が３７０ｍｍ、膝の中心位置の周囲長が３６０ｍｍ、膝の中心位置から脛側３０ｍｍの位置の周囲長が３４６ｍｍ、脛側１００ｍｍの位置の周囲長が３６７ｍｍであり、不飽和ポリエステル（ＦＲＰ）樹脂製にされている。
【０１３０】
着圧の測定装置としては、（株）エイエムアイ・テクノ製の接触圧測定器「ＡＭＩ３０３７−１０」を用いた。
着圧の測定位置（センサーを取り付けた位置）は、膝前面部の中心位置に対応する膝の前側、第１膝後面部の各中心位置に対応する膝の裏側、及び第２膝後面部に対応する膝の裏側とした。なお、サポーター１０Ｚについては、膝前面部２２Ｚについては、サポーター１０Ａ、１０Ｂと同様の位置を適用しているが、膝後面部２４Ｚについては、サポーター１０Ａの第１膝後面部３４Ａ及び第２膝後面部３６Ａと同様の位置を適用している。
【０１３１】
センサーの貼り付けは、既定の取り扱い方法（「衣服圧・体圧などの接触圧測定器／接触圧・血流測定システム  株式会社エイエムアイ・テクノ」、[online]、株式会社エイエムアイ・テクノ、［平成２７年３月２０日検索］、インターネット＜http://www.ami-tec.co.jp/＞）に準拠して行った。
具体的には、「ＡＭＩ３０３７−１０」専用のカバーテープ「ＳＢ−ＰＴＢ」を用いて上記各位置にセンサーを貼り付けた。次いで、センサー厚みが０．５ｍｍとなるように装置付属のシリンジを用いて空気を挿入した。
膝前着圧は、膝前側のセンサーの測定値を用い、膝周囲着圧は、各センサーの測定値の平均値を用いた。
【０１３２】
表１には、実施例１に係るサポーター１０Ａの測定結果が示され、表２には、実施例２に係るサポーター１０Ｂの測定結果が示されている。また、表３には、比較例に係るサポーター１０Ｚの測定結果が示されている。
【０１３３】
表１から表３において、軸方向欄の８０％伸長時弾性率は、軸方向への８０％伸長時弾性率（軸方向弾性率）を示し、周方向欄の８０％伸長時弾性率は、周方向への８０％伸長時弾性率（周方向弾性率）を示す。
【０１３４】
軸方向欄の２０Ｎ伸長率は、軸方向への２０Ｎ伸長時弾性率を示し、周方向欄の２０Ｎ伸長率は、周方向への２０Ｎ伸長時弾性率を示す。
各部の弾性率の測定値より下の欄は、膝前面部に対する測定値をＡ、第１膝後面部の測定値をＢ、第２膝後面部の測定値をＧ、太腿側前面部の測定値をＣ、太腿側後面部の測定値をＤ、脛側前面部の測定値をＥ、及び脛側後面部の測定値をＦとし、測定値間の比を示す。
【０１３５】
【表１】
2018150654.tif 000003
【０１３６】
【表２】
2018150654.tif 000004
【０１３７】
【表３】
2018150654.tif 000005
【０１３８】
表１に示すように、サポーター１０Ａでは、軸方向弾性率が高い順に第１膝後面部３４Ａ、太腿側前面部２６Ａ、膝前面部２２Ａ、脛側前面部３０Ａ、第２膝後面部３６Ａの順で太腿側後面部２８Ａと脛側後面部３２Ａが最も低くなっている。また、サポーター１０Ａでは、周方向弾性率が高い順に、膝前面部２２Ａ、第１膝後面部３４Ａと太腿側前面部２６Ａ、第２膝後面部３６Ａと脛側前面部３０Ａ、太腿側後面部２８Ａと脛側後面部３２Ａとなっていた。
【０１３９】
また、表２に示すように、サポーター１０Ｂでは、軸方向弾性率が高い順に第１膝後面部３４Ｂ、太腿側前面部２６Ｂ、膝前面部２２Ｂ、脛側前面部３０Ｂ、第２膝後面部３６Ｂの順で太腿側後面部２８Ｂと脛側後面部３２Ｂが最も低くなっている。また、サポーター１０Ｂでは、周方向弾性率が高い順に、膝前面部２２Ａ、第１膝後面部３４Ａ、太腿側前面部２６Ｂ、第２膝後面部３６Ｂ、脛側前面部３０Ｂとなっており、太腿側後面部２８Ｂと脛側後面部３２Ｂとが最も低くなっていた。
【０１４０】
従って、本発明の膝用サポーターの実施例であるサポーター１０Ａ、１０Ｂは、式（１）〜式（３）を満たしていた。
【０１４１】
また、表１〜表３に示すように、サポーター１０Ａ、１０Ｂの膝前着圧及び膝周囲着圧は、サポーター１０Ｚの膝前着圧及び膝周囲着圧より高くなっている。従って、サポーター１０Ａ、１０Ｂは、膝関節に対する固定感及び膝の曲げ伸ばし動作容易性に優れることが期待される。
【０１４２】
また、サポーター１０Ａ、１０Ｂには、第１膝後面部３４Ａ、３４Ｂの間に第２膝後面部３６Ａ、３６Ｂが設けられており、膝前面部２２Ａ、２２Ｂと第２膝後面部３６Ａ、３６Ｂとの間において式（４）を満たしている。従って、サポーター１０Ａ、１０Ｂでは、膝関節の曲げ伸ばし動作容易性に優れていることが期待される。
【０１４３】
更に、サポーター１０Ａ、１０Ｂは、式（５）〜式（１６）満たすと共に、式（５ａ）、式（５ｂ）、式（４ｃ）を満たしていることがわかる。従って、サポーター１０Ａ、１０Ｂは、膝関節に対する固定感及び膝関節の曲げ伸ばし動作容易性に特に優れ、更には、快適性（詳細には、フィット感向上、ずれ抑制、及び圧迫抑制）に優れることが期待される。
【０１４４】
次に、実際に、成人男性４名及び成人女性１名の計５名の被験者にサポーター１０Ａ、１０Ｂ、１０Ｚを２日間着用させ、各被験者に対し、着用感に関するヒヤリングを行った。
【０１４５】
その結果、いずれの被験者からも、サポーター１０Ａ、１０Ｂについては、膝関節に対する固定感に特に優れると共に、膝関節の曲げ伸ばし動作容易性に優れている、との感想が得られた。また、何れの被験者からも、サポーター１０Ａ、１０Ｂについては、膝関節の曲げ伸ばし動作容易性に特に優れ、更には、快適性（詳細には、フィット感向上、ずれ抑制、及び圧迫抑制）にも優れる、との感想が得られた。
【符号の説明】
【０１４６】
１０（１０Ａ、１０Ｂ）    膝用サポーター
２０（２０Ａ、２０Ｂ）    サポーター本体
２２（２２Ａ、２２Ｂ）    膝前面部
２６（２６Ａ、２６Ｂ）    太腿側前面部
２８（２８Ａ、２８Ｂ）    太腿側後面部
３０（３０Ａ、３０Ｂ）    脛側前面部
３２（３２Ａ、３２Ｂ）    脛側後面部
３４（３４Ａ、３４Ｂ）    第１膝後面部
３６（３６Ａ、３６Ｂ）    第２膝後面部
【図１】
2018150654.tif 000006
【図２】
2018150654.tif 000007
【図３】
2018150654.tif 000008